【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置であって、
第２の装置から複数の方向で受信された複数のトレーニング信号を取得するためのインタフェースと、
前記第１の装置と前記第２の装置との間の距離を推定するように構成された処理システム、前記推定は、前記複数のトレーニング信号のうちの第１および第２のトレーニング信号の受信電力に基づいて、前記距離を推定することを備える、と、
を備える第１の装置。
【請求項２】
前記推定は、前記複数のトレーニング信号のうちの前記第１のトレーニング信号と前記第２のトレーニング信号の前記受信電力の比に基づいて、前記距離を推定することを備える、請求項１に記載の第１の装置。
【請求項３】
前記第１のトレーニング信号は、第１の方向から受信され、前記トレーニング信号のうちで最も高い受信電力を有し、
前記第２のトレーニング信号は、前記第１の方向から既知の角度ずれた第２の方向から受信される、
請求項２に記載の第１の装置。
【請求項４】
前記処理システムは、前記第２の装置から、前記第２のトレーニング信号の信号パス中の障害物までの既知のまたは推定される距離に基づいて、前記距離を推定するようにさらに構成される、請求項２に記載の第１の装置。
【請求項５】
前記処理システムは、前記トレーニング信号の既知のビーム幅に基づいて、前記距離を推定するようにさらに構成される、請求項１に記載の第１の装置。
【請求項６】
前記処理システムは、前記第１および第２のトレーニング信号の前記受信電力の差に基づいて、前記距離を推定するように構成される、請求項１に記載の第１の装置。
【請求項７】
前記処理システムは、前記第１および第２のトレーニング信号の前記受信電力の前記差を、既知の距離で取得された第３および第４のトレーニング信号の以前に測定された受信電力の差と比較することによって、前記距離を推定するように構成される、請求項６に記載の第１の装置。
【請求項８】
前記複数のトレーニング信号が受信される少なくとも１つのアンテナをさらに備え、前記第１の装置は、ワイヤレス局として構成される、請求項１に記載の第１の装置。
【請求項９】
ワイヤレス通信のための第１の装置であって、
送信のために、第２の装置に複数の方向で複数のトレーニング信号を出力するための第１のインタフェースと、
前記第２の装置から、前記第２の装置で受信されたときの前記トレーニング信号に対応するパラメータを取得するための第２のインタフェースと、
前記パラメータに基づいて、前記第１の装置と前記第２の装置との間の距離を推定するように構成された処理システム、前記パラメータは、前記複数のトレーニング信号のうちの第１および第２のトレーニング信号の受信電力を備える、と、
を備える第１の装置。
【請求項１０】
前記推定は、前記第１のトレーニング信号および前記第２のトレーニング信号の前記受信電力の比に基づいて、前記距離を推定することを備える、
請求項９に記載の第１の装置。
【請求項１１】
前記第１のトレーニング信号は、第１の方向に送信され、前記トレーニング信号のうちで最も高い受信電力を有し、
前記第２のトレーニング信号は、前記第１の方向から既知の角度ずれた第２の方向に送信される、
請求項１０に記載の第１の装置。
【請求項１２】
前記処理システムは、前記第１の装置から、前記第２のトレーニング信号の信号パス中の障害物までの既知のまたは推定された距離に基づいて、前記距離を推定するように構成される、請求項１０に記載の第１の装置。
【請求項１３】
前記処理システムは、前記トレーニング信号の既知のビーム幅に基づいて、前記距離を推定するようにさらに構成される、請求項９に記載の第１の装置。
【請求項１４】
前記処理システムは、前記第１および第２のトレーニング信号の前記受信電力の差に基づいて、前記距離を推定するように構成される、
請求項９に記載の第１の装置。
【請求項１５】
前記処理システムは、第１および第２のトレーニング信号の前記受信電力の前記差を、既知の距離で取得された第３および第４のトレーニング信号の以前に測定された受信電力の差と比較することによって、前記距離を推定するように構成される、請求項１４に記載の第１の装置。
【請求項１６】
送信のために、前記複数のトレーニング信号を出力することは、異なるアンテナ構成を使用して、送信のために前記複数のトレーニング信号を出力することを備える、請求項９に記載の第１の装置。
【請求項１７】
前記複数のトレーニング信号が送信される少なくとも１つのアンテナをさらに備え、前記第１の装置は、ワイヤレス局として構成される、請求項９に記載の第１の装置。
【請求項１８】
第１の装置によるワイヤレス通信のための方法であって、
第２の装置から複数の方向で受信された複数のトレーニング信号を取得することと、
前記複数のトレーニング信号に基づいて、前記第１の装置と前記第２の装置との間の距離を推定すること、前記推定は、前記複数のトレーニング信号のうちの第１および第２のトレーニング信号の受信電力に基づいて、前記距離を推定することを備える、と、
を備える方法。
【請求項１９】
前記推定することは、前記複数のトレーニング信号のうちの前記第１のトレーニング信号と前記第２のトレーニング信号の前記受信電力の比に基づいて、前記距離を推定することを備える、請求項１８に記載の方法。
【請求項２０】
前記第１のトレーニング信号は、第１の方向から受信され、前記トレーニング信号のうちで最も高い受信電力を有し、
前記第２のトレーニング信号は、前記第１の方向から既知の角度ずれた第２の方向から受信される、
請求項１９に記載の方法。
【請求項２１】
前記推定することは、前記第２の装置から、前記第２のトレーニング信号の信号パス中の障害物までの既知のまたは推定された距離に基づいて、前記距離を推定することを備える、請求項１９に記載の方法。
【請求項２２】
前記推定することは、前記トレーニング信号の既知のビーム幅に基づいて、前記距離を推定することを備える、請求項１８に記載の方法。
【請求項２３】
前記推定することは、前記第１および第２のトレーニング信号の受信電力の差に基づいて、前記距離を推定することを備える、請求項１８に記載の方法。
【請求項２４】
前記推定することは、前記第１および第２のトレーニング信号の前記受信電力の前記差を、既知の距離で取得された第３および第４のトレーニング信号の以前に測定された受信電力の差と比較することによって、前記距離を推定することを備える、請求項２３に記載の方法。
【請求項２５】
第１の装置によるワイヤレス通信のための方法であって、
送信のために、第２の装置に複数の方向で複数のトレーニング信号を出力することと、
前記第２の装置から、前記第２の装置で受信されたときの前記トレーニング信号に対応するパラメータを取得することと、
前記パラメータに基づいて、前記第１の装置と前記第２の装置との間の距離を推定すること、前記パラメータは、前記複数のトレーニング信号のうちの第１および第２のトレーニング信号の受信電力を備える、と、
を備える方法。
【請求項２６】
前記推定は、前記第１のトレーニング信号および前記第２のトレーニング信号の前記受信電力の比に基づいて、前記距離を推定することを備える、
請求項２５に記載の方法。
【請求項２７】
前記第１のトレーニング信号は、第１の方向に送信され、前記トレーニング信号のうちで最も高い受信電力を有し、
前記第２のトレーニング信号は、前記第１の方向から既知の角度ずれた第２の方向に送信される、
請求項２６に記載の方法。
【請求項２８】
前記推定することは、前記第１の装置から、前記第２のトレーニング信号の信号パス中の障害物までの既知のまたは推定された距離に基づいて、前記距離を推定することを備える、請求項２６に記載の方法。
【請求項２９】
前記推定することは、前記トレーニング信号の既知のビーム幅に基づいて、前記距離を推定することを備える、請求項２５に記載の方法。
【請求項３０】
前記推定することは、前記第１および第２のトレーニング信号の前記受信電力の差に基づいて、前記距離を推定することを備える、請求項２５に記載の方法。
【請求項３１】
前記推定することは、第１および第２のトレーニング信号の前記受信電力の前記差を、既知の距離で取得された第３および第４のトレーニング信号の以前に測定された受信電力の差と比較することによって、前記距離を推定することを備える、請求項３０に記載の方法。
【請求項３２】
送信のために、前記複数のトレーニング信号を出力することは、異なるアンテナ構成を使用して、送信のために前記複数のトレーニング信号を出力することを備える、請求項２５に記載の方法。
【手続補正２】
【補正対象書類名】明細書
【補正対象項目名】００９４
【補正方法】変更
【補正の内容】
【００９４】
[0105]  請求項が、上で例示された精確な構成およびコンポーネントに限定されないことは理解されることとなる。請求項の範囲から逸脱することなく、上で説明された方法および装置の配列、動作、および詳細において、様々な修正、変化、およびバリエーションがなされ得る。
以下に本願の出願当初の特許請求の範囲に記載された発明を付記する。
［Ｃ１］
ワイヤレス通信のための第１の装置であって、
第２の装置から複数の方向で受信された複数のトレーニング信号を取得するためのインタフェースと、
前記複数のトレーニング信号に基づいて、前記第１の装置と前記第２の装置との間の距離を推定するように構成された処理システムと、
を備える第１の装置。
［Ｃ２］
前記推定は、前記複数のトレーニング信号のうちの第１のトレーニング信号と第２のトレーニング信号の受信電力の比に基づいて、前記距離を推定することを備える、Ｃ１に記載の第１の装置。
［Ｃ３］
前記第１のトレーニング信号は、第１の方向から受信され、前記トレーニング信号のうちで最も高い受信電力を有し、
前記第２のトレーニング信号は、前記第１の方向から既知の角度ずれた第２の方向から受信される、
Ｃ２に記載の第１の装置。
［Ｃ４］
前記処理システムは、前記第２の装置から、前記第２のトレーニング信号の信号パス中の障害物までの既知のまたは推定される距離に基づいて、前記距離を推定するようにさらに構成される、Ｃ２に記載の第１の装置。
［Ｃ５］
前記処理システムは、前記トレーニング信号の既知のビーム幅に基づいて、前記距離を推定するようにさらに構成される、Ｃ１に記載の第１の装置。
［Ｃ６］
前記処理システムは、前記トレーニング信号の１つまたは複数のペアについて測定された受信電力の少なくとも１つの差に基づいて、前記距離を推定するようにさらに構成される、Ｃ１に記載の第１の装置。
［Ｃ７］
前記処理システムは、１つまたは複数のペアのトレーニング信号について測定された受信電力の少なくとも１つの差を、既知の距離で取得された前記１つまたは複数のペアのトレーニング信号について以前に測定された受信電力の少なくとも１つの差と比較することによって、前記距離を推定するように構成される、Ｃ６に記載の第１の装置。
［Ｃ８］
ワイヤレス通信のための第１の装置であって、
送信のために、第２の装置に複数の方向で複数のトレーニング信号を出力するための第１のインタフェースと、
前記第２の装置から、前記第２の装置で受信されたときの前記トレーニング信号に対応するパラメータを取得するための第２のインタフェースと、
前記パラメータに基づいて、前記第１の装置と前記第２の装置との間の距離を推定するように構成された処理システムと、
を備える第１の装置。
［Ｃ９］
前記パラメータは、第１および第２のトレーニング信号の受信電力を備え、
前記推定は、前記第１のトレーニング信号および前記第２のトレーニング信号の前記受信電力の比に基づいて、前記距離を推定することを備える、
Ｃ８に記載の第１の装置。
［Ｃ１０］
前記第１のトレーニング信号は、第１の方向に送信され、前記トレーニング信号のうちで最も高い受信電力を有し、
前記第２のトレーニング信号は、前記第１の方向から既知の角度ずれた第２の方向に送信される、
Ｃ９に記載の第１の装置。
［Ｃ１１］
前記処理システムは、前記第１の装置から、前記第２のトレーニング信号の信号パス中の障害物までの既知のまたは推定された距離に基づいて、前記距離を推定するように構成される、Ｃ９に記載の第１の装置。
［Ｃ１２］
前記処理システムは、前記トレーニング信号の既知のビーム幅に基づいて、前記距離を推定するようにさらに構成される、Ｃ８に記載の第１の装置。
［Ｃ１３］
前記パラメータは、前記トレーニング信号のうちの複数についての受信電力を備え、
前記処理システムは、前記トレーニング信号の１つまたは複数のペアについて測定された受信電力の少なくとも１つの差に基づいて、前記距離を推定するように構成される、
Ｃ８に記載の第１の装置。
［Ｃ１４］
前記処理システムは、前記１つまたは複数のペアのトレーニング信号について測定された受信電力の少なくとも１つの差を、既知の距離で取得された前記１つまたは複数のペアのトレーニング信号について以前に測定された受信電力の少なくとも１つの差と比較することによって、前記距離を推定するように構成される、Ｃ１３に記載の第１の装置。
［Ｃ１５］
送信のために、前記複数のトレーニング信号を出力することは、異なるアンテナ構成を使用して、送信のために前記複数のトレーニング信号を出力することを備える、Ｃ８に記載の第１の装置。
［Ｃ１６］
第１の装置によるワイヤレス通信のための方法であって、
第２の装置から複数の方向で受信された複数のトレーニング信号を取得することと、
前記複数のトレーニング信号に基づいて、前記第１の装置と前記第２の装置との間の距離を推定することと、
を備える方法。
［Ｃ１７］
前記推定することは、前記複数のトレーニング信号のうちの第１のトレーニング信号と第２のトレーニング信号の受信電力の比に基づいて、前記距離を推定することを備える、Ｃ１６に記載の方法。
［Ｃ１８］
前記第１のトレーニング信号は、第１の方向から受信され、前記トレーニング信号のうちで最も高い受信電力を有し、
前記第２のトレーニング信号は、前記第１の方向から既知の角度ずれた第２の方向から受信される、
Ｃ１７に記載の方法。
［Ｃ１９］
前記推定することは、前記第２の装置から、前記第２のトレーニング信号の信号パス中の障害物までの既知のまたは推定された距離に基づいて、前記距離を推定することを備える、Ｃ１７に記載の方法。
［Ｃ２０］
前記推定することは、前記トレーニング信号の既知のビーム幅に基づいて、前記距離を推定することを備える、Ｃ１６に記載の方法。
［Ｃ２１］
前記推定することは、前記トレーニング信号の１つまたは複数のペアについて測定された受信電力の少なくとも１つの差に基づいて、前記距離を推定することを備える、Ｃ１６に記載の方法。
［Ｃ２２］
前記推定することは、１つまたは複数のペアのトレーニング信号について測定された受信電力の少なくとも１つの差を、既知の距離で取得された前記１つまたは複数のペアのトレーニング信号について以前に測定された受信電力の少なくとも１つの差と比較することによって、前記距離を推定することを備える、Ｃ２１に記載の方法。
［Ｃ２３］
第１の装置によるワイヤレス通信のための方法であって、
送信のために、第２の装置に複数の方向で複数のトレーニング信号を出力することと、
前記第２の装置から、前記第２の装置で受信されたときの前記トレーニング信号に対応するパラメータを取得することと、
前記パラメータに基づいて、前記第１の装置と前記第２の装置との間の距離を推定することと、
を備える方法。
［Ｃ２４］
前記パラメータは、第１および第２のトレーニング信号の受信電力を備え、
前記推定は、前記第１のトレーニング信号および前記第２のトレーニング信号の前記受信電力の比に基づいて、前記距離を推定することを備える、
Ｃ２３に記載の方法。
［Ｃ２５］
前記第１のトレーニング信号は、第１の方向に送信され、前記トレーニング信号のうちで最も高い受信電力を有し、
前記第２のトレーニング信号は、前記第１の方向から既知の角度ずれた第２の方向に送信される、
Ｃ２４に記載の方法。
［Ｃ２６］
前記推定することは、前記第１の装置から、前記第２のトレーニング信号の信号パス中の障害物までの既知のまたは推定された距離に基づいて、前記距離を推定することを備える、Ｃ２４に記載の方法。
［Ｃ２７］
前記推定することは、前記トレーニング信号の既知のビーム幅に基づいて、前記距離を推定することを備える、Ｃ２３に記載の方法。
［Ｃ２８］
前記パラメータは、前記トレーニング信号のうちの複数についての受信電力を備え、
前記推定することは、前記トレーニング信号の１つまたは複数のペアについて測定された受信電力の少なくとも１つの差に基づいて、前記距離を推定することを備える、Ｃ２３に記載の方法。
［Ｃ２９］
前記推定することは、前記１つまたは複数のペアのトレーニング信号について測定された受信電力の少なくとも１つの差を、既知の距離で取得された前記１つまたは複数のペアのトレーニング信号について以前に測定された受信電力の少なくとも１つの差と比較することによって、前記距離を推定することを備える、Ｃ２８に記載の方法。
［Ｃ３０］
送信のために、前記複数のトレーニング信号を出力することは、異なるアンテナ構成を使用して、送信のために前記複数のトレーニング信号を出力することを備える、Ｃ２３に記載の方法。
［Ｃ３１］
ワイヤレス通信のための第１の装置であって、
第２の装置から複数の方向で受信された複数のトレーニング信号を取得するための手段と、
前記複数のトレーニング信号に基づいて、前記第１の装置と前記第２の装置との間の距離を推定するための手段と、
を備える第１の装置。
［Ｃ３２］
前記推定するための手段は、前記複数のトレーニング信号のうちの第１のトレーニング信号と第２のトレーニング信号の受信電力の比に基づいて、前記距離を推定する、Ｃ３１に記載の第１の装置。
［Ｃ３３］
前記第１のトレーニング信号は、第１の方向から受信され、前記トレーニング信号のうちで最も高い受信電力を有し、
前記第２のトレーニング信号は、前記第１の方向から既知の角度ずれた第２の方向から受信される、
Ｃ３２に記載の第１の装置。
［Ｃ３４］
前記推定するための手段は、前記第２の装置から、前記第２のトレーニング信号の信号パス中の障害物までの既知のまたは推定される距離に基づいて、前記距離を推定する、Ｃ３２に記載の第１の装置。
［Ｃ３５］
前記推定するための手段は、前記トレーニング信号の既知のビーム幅に基づいて、前記距離を推定する、Ｃ３１に記載の第１の装置。
［Ｃ３６］
前記推定するための手段は、前記トレーニング信号の１つまたは複数のペアについて測定された受信電力の少なくとも１つの差に基づいて、前記距離を推定する、Ｃ３１に記載の第１の装置。
［Ｃ３７］
前記推定するための手段は、１つまたは複数のペアのトレーニング信号について測定された受信電力の少なくとも１つの差を、既知の距離で取得された前記１つまたは複数のペアのトレーニング信号について以前に測定された受信電力の少なくとも１つの差と比較することによって、前記距離を推定する、Ｃ３６に記載の第１の装置。
［Ｃ３８］
ワイヤレス通信のための第１の装置であって、
送信のために、第２の装置に複数の方向で複数のトレーニング信号を出力するための手段と、
前記第２の装置から、前記第２の装置で受信されたときの前記トレーニング信号に対応するパラメータを取得するための手段と、
前記パラメータに基づいて、前記第１の装置と前記第２の装置との間の距離を推定するための手段と、
を備える第１の装置。
［Ｃ３９］
前記パラメータは、第１および第２のトレーニング信号の受信電力を備え、
前記推定するための手段は、前記第１のトレーニング信号および前記第２のトレーニング信号の前記受信電力の比に基づいて、前記距離を推定する、
Ｃ３８に記載の第１の装置。
［Ｃ４０］
前記第１のトレーニング信号は、第１の方向に送信され、前記トレーニング信号うちで最も高い受信電力を有し、
前記第２のトレーニング信号は、前記第１の方向から既知の角度ずれた第２の方向に送信される、
Ｃ３９に記載の第１の装置。
［Ｃ４１］
前記推定するための手段は、前記第１の装置から、前記第２のトレーニング信号の信号パス中の障害物までの既知のまたは推定された距離に基づいて、前記距離を推定する、Ｃ３９に記載の第１の装置。
［Ｃ４２］
前記推定するための手段は、前記トレーニング信号の既知のビーム幅に基づいて、前記距離を推定する、Ｃ３８に記載の第１の装置。
［Ｃ４３］
前記パラメータは、前記トレーニング信号のうちの複数について受信電力を備え、
前記推定するための手段は、前記トレーニング信号の１つまたは複数のペアについて測定された受信電力の少なくとも１つの差に基づいて、前記距離を推定する、Ｃ３８に記載の第１の装置。
［Ｃ４４］
前記推定するための手段は、前記１つまたは複数のペアのトレーニング信号について測定された受信電力の少なくとも１つの差を、既知の距離で取得された前記１つまたは複数のペアのトレーニング信号について以前に測定された受信電力の少なくとも１つの差と比較することによって、前記距離を推定する、Ｃ４３に記載の第１の装置。
［Ｃ４５］
送信のために、前記複数のトレーニング信号を出力するための手段は、異なるアンテナ構成を使用して、送信のために前記複数のトレーニング信号を出力することを備える、Ｃ３８に記載の第１の装置。
［Ｃ４６］
ワイヤレス通信のためのコンピュータ可読媒体であって、第１の装置に
第２の装置から複数の方向で受信された複数のトレーニング信号を取得することと、
前記複数のトレーニング信号に基づいて、前記第１の装置と前記第２の装置との間の距離を推定することと、
を行わせるための命令を記憶したコンピュータ可読媒体。
［Ｃ４７］
ワイヤレス通信のためのコンピュータ可読媒体であって、第１の装置に
送信のために、第２の装置に複数の方向で複数のトレーニング信号を出力することと、
前記第２の装置から、前記第２の装置で受信されたときの前記トレーニング信号に対応するパラメータを取得することと、
前記パラメータに基づいて、前記第１の装置と前記第２の装置との間の距離を推定することと、
を行わせるための命令を記憶したコンピュータ可読媒体。
［Ｃ４８］
ワイヤレス局であって、
少なくとも１つの受信アンテナと、
前記少なくとも１つの受信アンテナを介して、第２の装置から複数の方向で受信された複数のトレーニング信号を受信するための受信機と、
前記複数のトレーニング信号に基づいて、前記第１の装置と前記第２の装置との間の距離を推定するように構成された処理システムと、
を備えるワイヤレス局。
［Ｃ４９］
ワイヤレス局であって、
少なくとも１つの送信アンテナと、
前記少なくとも１つの送信アンテナを介して、第２の装置に複数の方向で複数のトレーニング信号を送信するための送信機と、
少なくとも１つの受信アンテナと、
前記少なくとも１つの受信アンテナを介して、前記第２の装置で受信されたときの前記トレーニング信号に対応するパラメータを受信するための受信機と、
前記パラメータに基づいて、前記第１の装置と前記第２の装置との間の距離を推定するように構成された処理システムと、
を備えるワイヤレス局。